(57)【要約】【課題】安定した強度を確保するための天井落下防止用ネット及び天井落下防止構造を提供する。【解決手段】天井落下防止用の落下防止ネット１０は、芯部材２１を中心にして落下防止ネット１０の横糸１１を数回、巻回した後、外部に芯補強部材２２を配置してミシン縫いされて構成された端部２０を備えている。落下防止ネット１０の網目の一部には、孔１５ｈを包囲する横糸１１及び縦糸１２に、糸状の網目補強部材１５ａを巻回させた補強部１５が形成されている。【選択図】図２
2015063811.tif 000002
【特許請求の範囲】
【請求項１】
天井支持部材に固定され、網目を有する天井落下防止用ネットであって、
前記網目をテープ状の芯部材に巻き付けた状態で、前記芯部材の長手方向に縫製された端部を有することを特徴とする天井落下防止用ネット。
【請求項２】
前記端部は、前記芯部材に巻回した網目の外部にテープ状の芯補強部材を配置して縫製されていることを特徴とする請求項１に記載の天井落下防止用ネット。
【請求項３】
網目を有して、落下物を受け止める天井落下防止用ネットと、
前記天井落下防止用ネットを固定する天井支持部材とからなる天井落下防止構造であって、
前記天井落下防止用ネットが、前記網目をテープ状の芯部材に巻き付けた状態で、前記芯部材の長手方向に縫製された端部を有することを特徴とする天井落下防止構造。
【請求項４】
前記天井落下防止用ネットには、天井の吊下物の位置に対応する孔が設けられており、
前記天井落下防止用ネットは、前記孔の周囲に網目補強部材を巻回した部分を有することを特徴とする請求項３に記載の天井落下防止構造。
【発明の詳細な説明】
【技術分野】
【０００１】
本発明は、天井支持部材に取り付けて天井面構成物の落下を防止する天井落下防止用ネット及び天井落下防止構造に関する。
【背景技術】
【０００２】
想定外の地震により、既存の建物の天井の一部が落下してくる可能性が指摘されている。そこで、既存の天井の全体、又は一部を下方から覆う天井落下防止用ネットを設けることが検討されている（例えば、特許文献１参照。）。この文献に記載された技術においては、既存天井に防護ネット柵を設ける。この防護ネット柵は、既存天井裏の各既存吊ボルトに連結ボルトを連結し、連結ボルトの下端部にはワイヤー通し金具が設けられている。複数のワイヤー通し金具に通し、かつワイヤーの張りを調整するネット受けワイヤーの上部に防護ネットを結束線で結ぶ。これにより、天井の下方に天井落下防止用ネットの施工を容易に行なうことができる。
【先行技術文献】
【特許文献】
【０００３】
【特許文献１】特開２０１３−８７５３０号公報（第１頁、図１）
【発明の概要】
【発明が解決しようとする課題】
【０００４】
天井落下防止用ネットには、天井の一部が剥離して落下した場合、この落下物を受け止めるための強度や均質性が求められる。しかしながら、ネットを支持する端部にも力が加わるため、この支持部分における強度や均質性にばらつきがある場合、落下物を的確に受け止めることができない可能性がある。更に、このような天井落下防止用ネットは、多くの建物に適用する必要があり、安定した品質や量産性が求められる。
【０００５】
本発明は、上述の課題に鑑みてなされ、その目的は、安定した強度を確保するための天井落下防止用ネット及び天井落下防止構造を提供することにある。
【課題を解決するための手段】
【０００６】
上記課題を解決する天井落下防止用ネットは、天井支持部材に固定され、網目を有する天井落下防止用ネットであって、前記網目をテープ状の芯部材に巻き付けた状態で、前記芯部材の長手方向に縫製された端部を有すること要旨とする。また、上記課題を解決する天井落下防止構造は、網目を有して、落下物を受け止める天井落下防止用ネットと、前記天井落下防止用ネットを固定する天井支持部材とからなる天井落下防止構造であって、前記天井落下防止用ネットが、前記網目をテープ状の芯部材に巻き付けた状態で、前記芯部材の長手方向に縫製された端部を有すること要旨とする。
【０００７】
この構成によれば、天井落下防止用ネットは、網目をテープ状の芯部材に巻き付けた状態で、芯部材の長手方向に縫製された端部を有するので、安定した強度を確保することができる。
【０００８】
上記天井落下防止用ネットにおいて、前記端部は、前記芯部材に巻回した網目の外部にテープ状の芯補強部材を配置して縫製されていることが好ましい。この構成によれば、巻回した網目を、芯部材だけでなく、補強部材によっても補強するため、引張強度を、更に強くすることができる。
【０００９】
上記天井落下防止構造において、前記天井落下防止用ネットには、天井の吊下物の位置に対応する孔が設けられており、前記天井落下防止用ネットは、前記孔の周囲に網目補強部材を巻回した部分を有することが好ましい。この構成によれば、例えば天井からの吊下物を貫通させて接触する領域を補強することができるので、天井からの吊下物が存在した場合においても、この吊下物による無理な力を掛けることなく、天井落下防止用ネットを配置することができる。
【発明の効果】
【００１０】
本発明によれば、天井落下防止用ネットにおいて、強度の安定化を図ることができる。
【図面の簡単な説明】
【００１１】
【図１】実施形態における天井落下防止構造の全体斜視図。
【図２】実施形態における天井落下防止用ネットの端部を説明する図であり、（ａ）は平面図、（ｂ）は拡大断面図。
【図３】実施形態における天井落下防止用ネットの製造方法を説明する説明図であり、（ａ）はネット材及び芯部材の製造する前の状態、（ｂ）はネットを芯部材に巻回してミシン縫いした状態、（ｃ）は芯補強部材もミシン縫いをした状態を示す。
【図４】天井落下防止用ネットの取付方法を説明する図であり、（ａ）は取り付ける前、（ｂ）は取り付けた後の状態を示す。
【発明を実施するための形態】
【００１２】
以下、図１〜図４に従って、本発明を具体化した一実施形態について説明する。本実施形態では、建物の天井には、天井面を支持する天井支持部材としての長尺状の金物下地が、所定の間隔で配置されている。
【００１３】
図１には、本実施形態の天井落下防止構造が示されている。建物の天井において複数、配置された金物下地５０のレーシングバー５１には、落下防止ネット１０が、レーシングロープ６０によって巻回されて取り付けられている。落下防止ネット１０は、例えば、幅が３．６ｍ、長さは１００ｍ程度の大きさを有している。
【００１４】
図２（ａ）は落下防止ネット１０の要部の正面図、（ｂ）は落下防止ネット１０の端部２０の拡大断面図である。
図２（ａ）に示すように、落下防止ネット１０は、角目のネットであって、横糸１１及び縦糸１２が直交して編み込まれることによって格子状に網目が形成されている。横糸１１及び縦糸１２は、難燃性高強度繊維素材（例えばポリアリレート）で構成されている。
【００１５】
図２（ｂ）に示すように、落下防止ネット１０の端部２０は、テープ状の芯部材２１を中心にして落下防止ネット１０の横糸１１を数回、巻回した状態で１度ミシン縫いされ、更に外部にテープ状の芯補強部材２２を配置して、２度ミシン縫いされて構成されている。この場合、芯補強部材２２は、落下防止ネット１０の中央に近い側に配置されている。そして、端部２０は、図２（ａ）に示すように、芯補強部材２２が設けられた側面と反対側では、３条のミシン目（１条のミシン目２３と、このミシン目２３の両側の２条のミシン目２４）により固定される。また、芯補強部材２２が設けられた側面では、芯補強部材２２に対して２条のミシン目２４により固定される。この場合、ミシン目２３，２４は、テープ状の芯部材２１及び芯補強部材２２の長手方向に直線状に形成されている。
【００１６】
本実施形態の芯部材２１及び芯補強部材２２は、幅が１５ｍｍ程度、厚さが１ｍｍ程度、長さが１００ｍ程度の大きさの難燃性材料により構成されている。本実施形態のミシン目２３，２４は、難燃性の縫製糸によって形成されている。
【００１７】
また、図２（ａ）に示すように、本実施形態の落下防止ネット１０には、網目の一部に、補強部１５が形成されている。この補強部１５は、孔１５ｈを包囲する横糸１１及び縦糸１２に、糸状の網目補強部材１５ａを巻回させた部分である。この網目補強部材１５ａは、横糸１１及び縦糸１２と同じ材料で構成されている。また、孔１５ｈは、落下防止ネット１０を天井に配置した場合に、天井からの吊下物（例えば、照明器具等）を貫通させるための特定領域である。
【００１８】
次に、図３に従って、本実施形態の落下防止ネット１０の製造方法について説明する。
まず、図３（ａ）に示すように、落下防止ネット１０に用いるネット材１０ａの端部（端部予定部分２０ａ）において、芯部材２１を配置し、この芯部材２１をネット材１０ａで巻き込む。
【００１９】
次に、図３（ｂ）に示すように、芯部材２１にネット材１０ａの端部予定部分２０ａを巻き込んだ状態で、芯部材２１の中央付近で、芯部材２１の長手方向にミシン掛けを行なうことにより、芯部材２１と巻回したネット材１０ａの端部とを一体化させる。
【００２０】
次に、図３（ｃ）に示すように、ネット材１０ａの、ミシン目２３によって芯部材２１と横糸１１とが一体化された端部予定部分２０ａに、芯補強部材２２を配置する。この場合、芯補強部材２２は、ネット材１０ａの中央に近い側の面で、芯部材２１と平行に配置する。そして、この状態で、ミシン目２３の両側に、芯部材２１及び芯補強部材２２の長手方向にミシン掛けを行なうことにより、端部２０を形成する。
【００２１】
ネット材１０ａを配置する場所に天井からの吊下物がある場合には、ネット材１０ａにおいて、吊下物の貫通位置及び大きさを特定する。そして、この貫通位置において、吊下物の大きさに合わせて、必要に応じて横糸１１や縦糸１２を切断して孔１５ｈを生成する。そして、孔１５ｈの周囲の横糸１１及び縦糸１２に対して、網目補強部材１５ａを巻回する。以上により、天井落下防止用ネットとしての落下防止ネット１０が完成する。
【００２２】
次に、図４に従って、本実施形態の落下防止ネット１０の取付方法について説明する。
図４（ａ）に示すように、金物下地５０には、複数のアーム５１ａを介してレーシングバー５１が取り付けられている。そこで、図４（ｂ）に示すように、レーシングバー５１に、落下防止ネット１０の端部２０を重ねる。この場合、補強部１５の孔１５ｈを、天井の吊下物に対応する位置に落下防止ネット１０を配置する。そして、レーシングバー５１と落下防止ネット１０の端部２０とを重ねた状態で、レーシングロープ６０を螺旋状に巻き、解けないように結びつける。これにより、落下防止ネット１０はレーシングバー５１に固定される。
【００２３】
本実施形態によれば、以下のような効果を得ることができる。
（１）本実施形態の天井落下防止用の落下防止ネット１０は、芯部材２１を中心にして落下防止ネット１０の端部予定部分２０ａを数回、巻回した後、外部に芯補強部材２２を配置してミシン縫いされた端部２０を備える。これにより、ネット材１０ａの端部を芯部材２１に巻き込むので、落下防止ネット１０の強度の安定化を図ることができる。
【００２４】
（２）本実施形態の落下防止ネット１０の端部２０は、ミシンによって縫製される。このため、端部２０の強度の均一化を図ることができ、量産にも適する。
（３）本実施形態の落下防止ネット１０の端部２０は、ミシン目２３によって芯部材２１と横糸１１とが一体化された状態で、外側に芯補強部材２２を配置し、ミシン掛けされる。これにより、芯補強部材２２によって端部２０の強度を、更に安定化することができる。
【００２５】
（４）本実施形態の落下防止ネット１０の孔１５ｈを包囲する横糸１１及び縦糸１２に、網目補強部材１５ａを巻回させた補強部１５が形成されている。これにより、天井に配置される吊下物を落下防止ネット１０に貫通させた場合にも、吊下物の接触に対して補強することができる。
【００２６】
（５）本実施形態の落下防止ネット１０は、レーシングバー５１と落下防止ネット１０の端部とを平行に配置した状態で、レーシングロープ６０を螺旋状に巻いて固定される。これによれば、簡単に落下防止ネット１０を金物下地５０に取り付けることができる。
【００２７】
また、上記実施形態は、以下のように変更してもよい。
・上記実施形態において、落下防止ネット１０を、長尺状の金物下地５０のレーシングバー５１に取り付けた。落下防止ネット１０は、天井面を支持する天井支持部材であれば、金物下地５０に直接、取り付けてもよいし、金物下地５０の代わりに配置されるケーブルに取り付けてもよい。ここで、１つの天井支持部材の両側にそれぞれ落下防止ネット１０を取り付ける場合には、それぞれを別に取り付ける２つのレーシングバー５１を設けることが好ましい。これにより、同じ部材に両側から落下防止ネット１０を取り付けないので、落下防止ネット１０を効率よく取り付けることができる。
【００２８】
・上記実施形態において、落下防止ネット１０の端部２０は、ミシン目２３によって芯部材２１と横糸１１とが一体化された状態で、外側に芯補強部材２２を配置し、ミシン掛けを行なって構成した。芯補強部材２２は、ミシン目２３によって芯部材２１と横糸１１とが一体化された状態の両側に配置してもよいし、上記実施形態とは異なる側（具体的には、ネット材１０ａの網目に近い側の面と反対側）に配置してもよい。
また、上記実施形態では、テープ状の芯部材２１に巻き付けた状態で、芯部材２１の長手方向に縫製された端部２０として、落下防止ネット１０の長手方向に延びる端部を構成したが、落下防止ネット１０の短手方向に延びる端部を、同様な構成にしてもよい。
【００２９】
・上記実施形態において、落下防止ネット１０の端部２０は、中央にミシン目２３を設け、これの両側にミシン目２４を設けた。ミシン縫いの回数、すなわちミシン目（２３，２４）の回数はこれに限定されない。
【００３０】
・上記実施形態において、落下防止ネット１０に補強部１５を設けた。ここで、落下防止ネット１０の１つの網目に挿入可能な大きさの吊下物の場合には、横糸１１及び縦糸１２を切断せずに、吊下物が対応する位置の網目の横糸１１及び縦糸１２に、網目補強部材１５ａを巻回して補強してもよい。
【００３１】
・上記実施形態において、落下防止ネット１０の横糸１１及び縦糸１２は、難燃性高強度繊維素材で構成し、落下防止ネット１０のミシン目２３，２４は、難燃性の縫製糸で構成した。これらの材料は、難燃性材料に限定されず、これらの材料として、従来からネットや縫製糸として用いられている所定以上の引張強度を有する材料（ポリエステルやポリプロピレン等）を用いてもよい。また、落下防止ネット１０の芯部材２１及び芯補強部材２２は、難燃性材料で構成したが、これらの材料も、難燃性材料に限定されない。例えば、これらの材料として、落下防止ネット１０が安定した強度を確保できるための所定以上の引張強度を有する材料を用いてもよい。
【符号の説明】
【００３２】
１０…落下防止ネット、１０ａ…ネット材、１１…横糸、１２…縦糸、１５…補強部、１５ａ…網目補強部材、１５ｈ…孔、２０…端部、２０ａ…端部予定部分、２１…芯部材、２２…芯補強部材、２３，２４…ミシン目、５０…金物下地、５１…レーシングバー、５１ａ…アーム、６０…レーシングロープ。
【図１】
2015063811.tif 000003
【図２】
2015063811.tif 000004
【図３】
2015063811.tif 000005
【図４】
2015063811.tif 000006